(57)【要約】【課題】広幅のベッドなどの搬入出を可能としながら通常の使用時には開閉の操作性に優れる開口部の構造を提供する。【解決手段】間仕切り壁に形成された矩形状の開口部、この開口部に隣接して設けられた戸袋、及び前記開口部を遮蔽しうる建具を具え、前記建具は、前記開口部と略同高さの矩形板状をなし、開口部と戸袋との間を移動可能に支持される引き戸と、この引き戸と略同高さかつ小巾な縦長矩形状をなすとともに前記引き戸の戸先側に取り付けられた袖パネルとからなり、前記袖パネルは、開口部の戸当り側で上下にのびる芯を中心にした回動により開口部を開閉可能に取り付けられることを特徴とする。【選択図】図１
2007204946.tif 000002
【特許請求の範囲】
【請求項１】
間仕切り壁に形成された矩形状の開口部、この開口部に隣接して設けられた戸袋、及び前記開口部を遮蔽しうる建具を具え、
前記建具は、前記開口部と略同高さの矩形板状をなし、開口部と戸袋との間を移動可能に支持される引き戸と、この引き戸と略同高さかつ小巾な縦長矩形状をなすとともに前記引き戸の戸先側に取り付けられた袖パネルとからなり、
前記袖パネルは、開口部の戸当り側で上下にのびる芯を中心にした回動により開口部を開閉可能に取り付けられることを特徴とする開口部の構造。
【請求項２】
前記引き戸は、その上端部に設けた戸車が、開口部の上部に取り付けられた上レールに走行可能に係合することにより移動可能に支持され、
前記上レールは、戸袋乃至開口部の上部を連続してのび、かつ前記袖パネルの手前で終端し、
前記引き戸は、袖パネルを開いた状態において開放される上レールの端部を通して、戸車を上レール内に出入れすることにより、取り付け、取外しされることを特徴とする請求項１記載の開口部の構造。
【請求項３】
前記袖パネルは、引き戸と略同厚に形成されるとともに同じ仕様により表面仕上げされることを特徴とする請求項１又は２記載の開口部の構造。
【請求項４】
前記袖パネルは、引き戸の移動を拘束して開口部をロックしうる錠装置が取り付けられることを特徴とする請求項１〜３のいずれかに記載の開口部の構造。
【発明の詳細な説明】
【技術分野】
【０００１】
本発明は、間仕切り壁に形成された出入り口において、これを開閉する引き戸を取り付けた開口部の構造に関する。
【背景技術】
【０００２】
引き戸は、壁面に沿うスライド移動によって開口部を開閉するため、ドアのように回動を伴った開閉動作のための余裕スペースが不要である。特にグループホームを含む高齢者施設、病院などキャスター付きのベッドを出し入れするために、例えば１．５〜２．０ｍ程度の開口巾に形成される広幅の開口部を開閉する建具としては、引き戸が好適に採用されている。
【０００３】
しかしながら引き戸は、人が出入りするため、比較的小巾で開閉するのが殆どであるが、この時にも広巾に形成された重い引き戸をスライド移動させる必要があるため、操作性が悪い上、車椅子使用者、高齢者など非力な使用者にとっては大変煩わしい作業である。しかも重くて大きな引き戸を移動させる時に大きな音、振動を伴うため、夜間など静寂な時間帯には騒音となって安眠を妨害するという問題もある。
【０００４】
そこで、吊り戸を二枚以上に分割した連引き戸を用いて、必要な開口巾に対応する引き戸だけをスライドさせて開口部を開閉するように構成することが提案されている（例えば、特許文献１参照）。
【０００５】
【特許文献１】特開平１０−１０２９１４号公報
【発明の開示】
【発明が解決しようとする課題】
【０００６】
しかしながら、前記連引き戸は、巾方向に小さく分割された小引き戸を連続させて構成するため、特に開閉時にガタつきを生じやすいことから、スムーズな水平移動ができないために操作性が悪くなりがちであり、更には隙間風、音漏れなどを生じ易く、しかも外観が整然としないため見栄えを低下させるという問題もある。
【０００７】
本発明は、開口部の戸当り側で上下にのびる芯を中心にした回動により開口部を開閉可能に取り付けられた袖パネルを設けることを基本とし、広幅のベッドなどの搬入出を可能としながら通常の使用時には開閉の操作性に優れる開口部の構造の提供を課題としている。
【課題を解決するための手段】
【０００８】
前記目的を達成するために、請求項１に係る発明では、間仕切り壁に形成された矩形状の開口部、この開口部に隣接して設けられた戸袋、及び前記開口部を遮蔽しうる建具を具え、前記建具は、前記開口部と略同高さの矩形板状をなし、開口部と戸袋との間を移動可能に支持される引き戸と、この引き戸と略同高さかつ小巾な縦長矩形状をなすとともに前記引き戸の戸先側に取り付けられた袖パネルとからなり、前記袖パネルは、開口部の戸当り側で上下にのびる芯を中心にした回動により開口部を開閉可能に取り付けられることを特徴とする。
【０００９】
請求項２に係る発明では、前記引き戸は、その上端部に設けた戸車が、開口部の上部に取り付けられた上レールに走行可能に係合することにより移動可能に支持され、前記上レールは、戸袋乃至開口部の上部を連続してのび、かつ前記袖パネルの手前で終端し、前記引き戸は、袖パネルを開いた状態において開放される上レールの端部を通して、戸車を上レール内に出入れすることにより、取り付け、取外しされることを特徴とする。
【００１０】
請求項３に係る発明では、前記袖パネルは、引き戸と略同厚に形成されるとともに同じ仕様により表面仕上げされ、また請求項４に係る発明においては、袖パネルは、引き戸の移動を拘束して開口部をロックしうる錠装置が取り付けられることを特徴とする。
【発明の効果】
【００１１】
請求項１に係る発明においては、引き戸の戸先側に取り付けられた袖パネルは、開口部の戸当り側で上下にのびる芯を中心にした回動により開口部を開閉可能に取り付けられるため、袖パネルを開くことにより開口部全体を開放して、ベッドなどの広幅の家具等を支障なくスムースに搬入、搬出できる。しかし、日常的な使用の場合は、袖パネルの分コンパクトで軽く形成された引き戸を開閉操作することにより、人、或いは車椅子の出入が行なえることから、高齢者、車椅子の利用者など非力な使用者でも楽に開閉操作でき、ユニバーサルデザインを反映した快適な生活空間が形成される。
【００１２】
しかも、単体の引き戸を移動させて開口部を開閉するため、引き戸はガタつきを生じることもなくスムースに移動するため、夜間などでも騒音を生じることがなく、特にグループホームなどの共同生活施設において好適に採用できる。
【００１３】
請求項２に係る発明のように、袖パネルを開いた状態において開放される上レールの端部を通して、戸車を上レール内に出し入れすることにより、引き戸を取り付け、取外し可能に形成すると、戸車の定期点検などのメンテナンス作業、或いは引き戸が破損した場合の修理、交換などを簡単に行なえ、また請求項３に係る発明のように、袖パネルを、引き戸と略同厚さに形成すると、一体感のある外観が得られ、見栄えを高めることができる。  
【００１４】
請求項４に係る発明のように、袖パネルに、引き戸の移動を拘束して開口部をロックしうる錠装置を設けると、この錠装置が引き戸戸先に取り付けられた把手と干渉することがないため、施錠、開錠などの操作は、把手に邪魔されることなく全くフリーに行なうことができ、操作性に優れる。また錠装置が袖パネルに取り付けられるため、引き戸の戸先には、錠装置との配置に考慮する必要なく把手の取り付け位置を自在に設定できる。従って、ユニバーサルデザインの観点から、車椅子の使用者を含めたあらゆる状況に対応して、最も取り扱いし易い最適な位置に把手を設置できるため、高齢者施設、病院を始めとして各種の建物の開口部に好適に採用できる。他方錠装置においても、把手の取り付け位置に制約されることなく、自由な高さに設けることができるため、使用条件に応じた最適位置での錠操作が可能となり、快適に使用できる。
【発明を実施するための最良の形態】
【００１５】
以下、本発明の実施の一形態を、図示例とともに説明する。図１に示すように、開口部の構造１は、間仕切り壁２に設けられた開口部３と、戸袋４と、開口部３を遮蔽しうる建具５とを具え、さらにこの建具５は、引き戸６、及び袖パネル７を含み構成される。
【００１６】
前記間仕切り壁２は、例えば廊下、玄関ロビーなどと部屋空間を画するため、屋内空間を仕切る壁であり、そしてこの間仕切り壁２で仕切られた空間相互を連通する出入り口として矩形状の開口部３が形成される。
【００１７】
前記戸袋４は、開口部３に隣接して設けられ、本形態では間仕切り壁２の開口部３側部の厚さを薄くして形成される凹部によって構成されたものが例示される。そしてこの戸袋４は、開口部３と略同高さを有するとともに開口部３の左右何れか一方に連続して配置される。戸袋４はこのほかに、開口部３側部の間仕切り壁２の内部に形成され、かつ開口部３に対して開く中空部として構成することもできる。
【００１８】
前記引き戸６は、開口部３と略同じ大きさを有する矩形板状をなす。本形態の引き戸６は、縦フレーム材、横フレーム材を矩形状に枠組みした外周枠の内側に補強桟を架け渡し形成された木製のパネルフレームの両側に、化粧板を貼着したフラッシュパネルにより構成される。また前記化粧板としては、合板など基板上に、ナラ、サクラ、チーク、ケヤキなどを０．２〜０．６ｍｍ程度にスライスした突き板、或いはポリエチレン、ポリプロピレン、エチレン酢ビ樹脂（ＥＶＡ）などオレフィン系樹脂、メラミン樹脂、ポリエステル樹脂を用いた化粧シートを貼着したものが用いられる。このほか合板及びパーティクルボードの表面をポリエステル樹脂、ポリウレタン樹脂、アミノアルキド樹脂、アクリル樹脂等で塗装した塗装板を用いることもできる。
【００１９】
またこの引き戸６の戸先側中位には、開閉操作の際、把持される把手２１が取り付けられる。本形態の把手２１は、図３に示すように、ユニバーサルデザインの観点から車椅子使用者でも容易に操作することのできる縦長棒状の把持部２２を有する。そして把手２１は、前記把持部２２の上下から湾曲して折れ曲がる取り付け部２３が設けられて横Ｕ字状なし、この取り付け部２３を介してボルト、ビスなどを用いて固着される。
【００２０】
把手２１は、このほか縦長棒状の把持部２２の下端部から水平に折れ曲がる横把持部を一体に設けたＬ字状のものなど、ユニバーサルデザインの観点から車椅子使用者でも容易に操作することのできるように工夫された、つかみ易い形状のものが好適に採用される。  
【００２１】
このように構成された引き戸６は、図３に示すように、その上端部に戸車８が取り付けられ、他方図２に示すように、開口部３及び戸袋４の上縁部に連続する水平な上レール９が取り付けられる。しかして、戸車８が上レール９に走行可能に係合することによって、引き戸６は、開口部３と戸袋４との間をスライド移動可能に支持され、これにより引き戸６が開口部３を開閉する。なお、引き戸６の下端面には、支持溝２４が形成され、床面から小高さで立ち上がるピン３１を支持溝２４内に挿入することにより、引き戸６の移動時に生じやすい横揺れの力が支持されて、滑らかなスライド動作が維持される。またこのような吊りレール方式のほか、鴨居、敷居を上下に設けることにより、引き戸６を水平移動可能に支持することもできる。
【００２２】
この引き戸６の戸先前方の開口部３内側に、図２、４に示すように、袖パネル７が設けられる。この袖パネル７は、引き戸６と略同高さ、かつ小巾な縦長矩形板状をなし、本形態では引き戸６と同様、木製パネルフレームの両側に化粧板を貼着したフラッシュパネルにより構成される。
【００２３】
本形態の袖パネル７は、図４に示すように、引き戸６と略同厚に形成される。従って、引き戸６を閉止した時、引き戸６と袖パネル７は段差を生じることなく開口部３で連続してこれを遮蔽するため、見栄えに優れる点で好ましい。更に本形態の袖パネル７は、引き戸６と同じ仕様を用いて表面仕上げされる。具体的には、本形態の引き戸６及び袖パネル７は、同じ化粧板を使用したフラッシュパネルとして構成されるため、引き戸６と袖パネル７との一体性が更に向上して、高い意匠性が得られる点で好ましい。
【００２４】
そして前記袖パネル７は、図４に示すように、開口部３の戸当り側縁部に、蝶番２５Ａを用いた可動取付具２５によって取り付けられ、これにより袖パネル７は開口部３の戸当り側で上下にのびる芯を中心として回動可能に構成される。しかして、図５（Ｂ）に示すように、可動取付具２５に支持された袖パネル７を回動すると開口部３全体の巾Ｗ２を開けることができるため、ベッド、机、箪笥などの広幅の家具等を支障なくスムースに搬入、搬出できる。一方通常は図５（Ａ）に示すように、開口部３を閉止する位置に袖パネル７を回動することによって引き戸６の戸当りとして構成すると、袖パネル７は閉めたままで、引き戸６のみを開閉操作することによって、巾Ｗ１の範囲間で比較的小さく開いて、人、或いは車椅子の出入を行なうことができる。そして引き戸６は袖パネル７の分がコンパクトに、軽量化して形成されているため、高齢者、車椅子の利用者など力の入りにくい使用者でも軽く開閉操作でき快適に使用できる。しかも、一体に構成された引き戸６が移動することにより開口部３を開閉するため引き戸６の移動にはガタつきがなく、従って夜間なども騒音を発生することなく、特にグループホームなどの共同生活施設において、好適に採用できる。なお閉止状態の袖パネル７は、フランス落としなど公知の建具用金具を用いて固定される。
【００２５】
本形態の袖パネル７は、図４に示すように錠装置１０が設けられ、これにより引き戸６の移動を拘束して、開口部３をロックできるよう構成している。本形態の錠装置１０は、袖パネル７内に埋設されたケース２６と、このケース２６内に収容されて施錠開錠操作によって出没しうる鎌状のデッドボルト２７と、デッドボルト２７を動作させるシリンダ２８と、このシリンダ２８の反対側に配され鍵を使わずにデッドボルト２７を動作させるサムターン２９と、ストライク３０とからなる。そしてこのストライク３０は、引き戸６の戸先端面に埋設され、袖パネル７側で操作することにより袖パネル７から出没するデッドボルト２７が係合することで、施錠開錠できる。
【００２６】
このように袖パネル７に、錠装置１０の本体部を設けて引き戸６の移動をロックするため、錠装置１０と引き戸６戸先に取り付けた把手２１とが干渉することがなくなる。従って施錠、開錠などの操作は、把手２１に邪魔されることなく袖パネル７側において全くフリーに行なうことができ、施開錠の操作性が優れる。
【００２７】
また袖パネル７側に錠装置１０を取り付けることから、錠装置１０との配置に考慮する必要なく、把手２１は引き戸６の戸先の任意位置に取付けが可能である。従って、ユニバーサルデザインの観点から、車椅子の使用者、幼少者による操作などを含め、あらゆる使用状況に対応しうる最適な位置に把手を設置できる。そのため高齢者施設、病院を始めとして各種の建物の開口部に好適に採用できる。他方錠装置１０の取り付けも、把手２１の取り付け位置に制約を受けることなく、自由な高さに設定できるため、最適位置での錠操作が可能となり、快適に使用できる。なお錠装置１０のストライク３０は袖パネル７に取り付けられるが、引き戸６に向き合う端面に埋設されるものであるため、把手２１に干渉することはない。
【００２８】
本形態の引き戸６は、前記の如く開口部３の上縁部に設けられた上レール９によってスライド可能に支持されているが、この上レール９は、図２に示すように、戸袋４乃至開口部３の上部をＬ２の長さで連続してのび、袖パネル７の手前で終端している。そのため、図５（Ｃ）に示すように、袖パネル７を開口部３から外へ開く方向に回動することによって、戸車８を開放される上レール９の端部を通して、上レール９内に出入れすることができ、その結果引き戸６を簡単に取り付け、取外しできる。このように袖パネル７を開口部３内から外側へ回動することによって、戸車８を上レール９に取付け、取外しする長さＬ２のスペースを設けることができ、その結果戸車８の定期点検などのメンテナンス作業、或いは引き戸６が破損した場合の修理、交換などを簡単に行なえる点で好ましい。
【００２９】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００３０】
【図１】本発明の一実施の形態を例示する斜視図である。
【図２】その拡大正面図である。
【図３】そのＡ−Ａ断面図である。
【図４】その施錠状態を示す水平断面図である。
【図５】（Ａ）乃至（Ｃ）は各々異なる使用状態を説明する略平面図である。
【符号の説明】
【００３１】
１      開口部の構造
２      間仕切り壁
３      開口部
４      戸袋
５      建具
６      引き戸
７      袖パネル
８      戸車
９      上レール
１０      錠装置
【図１】
2007204946.tif 000003
【図２】
2007204946.tif 000004
【図３】
2007204946.tif 000005
【図４】
2007204946.tif 000006
【図５】
2007204946.tif 000007